(57)【要約】【課題】振動などに起因する筐体側のコネクタと当該コネクタに接続されるケーブル付きコネクタとの間の接触不良の発生を抑えることができる筐体を提供する。【解決手段】ヒンジ部１１のＵ字ばね効果により発生する力Ｆによってケーブル付きコネクタ６及びケーブル１６をそれぞれケーブル付きコネクタ６の挿入方向へ押さえつけるようにした。また、ケーブル１６の外周を、クランプ１４によって締め付けるようにした。このため、ケーブル１６に振動などが作用した際に、ケーブル１６がその前後方向へ微小振動することが抑制される。ひいては、メス形のコンタクトピンがケーブル付きコネクタ６のハウジングに対して前後方向へ振動することが抑制される。ケーブル付きコネクタ６のメス形のコンタクトピンとコネクタ５のオス形のコンタクトピンの接触部分の摩耗の発生が抑制されるので、ケーブル付きコネクタ６とコネクタ５との接触不良を抑えることができる。【選択図】図１
2013258118.tif 000002
【特許請求の範囲】
【請求項１】
ケーブル付きの第１のコネクタが接続される第２のコネクタを有した基板が収容される筐体であって、
窓部を有し、前記コネクタどうしが前記窓部を介して接続されるように構成された筐体において、
前記窓部の近傍には、前記ケーブルを前記筐体に対して固定する固定部材が一体形成されてなることを特徴とする筐体。
【請求項２】
請求項１に記載の筐体において、
前記固定部材は、第１のコネクタが第２のコネクタに接続されたとき、前記ケーブルの外周面に対向可能に設けられた支持部と、
前記支持部のケーブル対向面に設けられて前記ケーブルの外周面を保持するクランプと、を含む筐体。
【請求項３】
請求項２に記載の筐体において、
前記固定部材は、第１のコネクタを固定するために前記支持部のケーブル対向面に設けられたフックをさらに含み、
前記フックは、第２のコネクタに接続された第１のコネクタの挿入方向と反対側の部位を介して当該第１のコネクタをその挿入方向へ弾性的に押さえ付けできる位置に配置した筐体。
【請求項４】
前記基板を収納するための開口部を有する本体と、
前記開口部を開閉自在に閉じる蓋部材とを備え、
前記固定部材は、前記蓋部材の一部分を形成するかたちで、かつ前記蓋部材に対してヒンジ部を介して回動可能に設け、
前記蓋部材を閉じた状態で前記固定部材を前記蓋部材の閉じ方向と反対方向へ回動させることにより前記窓部を形成し、
前記ヒンジ部は、前記固定部材と前記蓋部材との連結方向と交差する方向に湾曲した形状を持たせることによって前記連結方向に沿って弾性的に伸縮可能に設け、
前記フックは、前記ヒンジ部の弾性力により前記第１のコネクタをその挿入方向へ押さえ付ける請求項３に記載の筐体。
【発明の詳細な説明】
【技術分野】
【０００１】
この発明は、筐体に関し、特にコネクタ付きのプリント基板を収容するのに適した筐体に関する。
【背景技術】
【０００２】
従来、この種の筐体としては、例えば特許文献１に記載の筐体が知られている。
この筐体は、開口部を有する本体、及び当該本体の開口部を塞ぐコネクタカバーを有している。コネクタカバーは、本体に対して回動可能に設けられている。本体の内部には、接続部材が設けられている。この接続部材には、本体の開口部を介して外部からケーブル付きコネクタが接続される。そして、この筐体では、接続部材にコネクタを接続した後、開口部をコネクタカバーにより閉塞する。ケーブルはコネクタカバーに設けられた切り欠き部を介して外部に引き出される。
【０００３】
コネクタを接続部材に接続した状態、且つコネクタカバーを閉じた状態にあっては、コネクタカバーはコネクタを外側から覆っている。コネクタカバーは、当該コネクタカバーと本体との間に設けられた係止機構によって、本体に係止された状態に維持される。何らかの原因によって、コネクタが接続部材から抜けようとしたとき、コネクタはコネクタカバーによって係止される。このため、コネクタの脱落が抑制される。
【先行技術文献】
【特許文献】
【０００４】
【特許文献１】特開２００１−３５１７３３号公報
【発明の概要】
【発明が解決しようとする課題】
【０００５】
従来、汎用されているコネクタの一例を図４に示している。ケーブル付きコネクタ１１２は、ハウジング１１３とメス形のコンタクトピン１１４とを有している。ハウジング１１３に対してメス形のコンタクトピン１１４が抜け止め状態で挿入されている。メス形のコンタクトピン１１４に設けられた抜け止め用の爪１１５を、ハウジング１１３の内部に設けられた凹部１１６に引っ掛けることにより、メス形のコンタクトピン１１４の抜け止めが図られる。この抜け止め構造を有する場合、通常、ハウジング１１３とメス形のコンタクトピン１１４との間には、当該メス形のコンタクトピン１１４の延びる方向において、若干のがたつきが存在する。また、ハウジング１１３の上部には、ロック解除用の爪１２０を有し、その爪１２０上にコネクタ１２１との抜け止め用の突起部１１９が設けられている。爪１２０とハウジング１１３の上部との間には、一定の角度を有している。
【０００６】
ケーブル付きコネクタ１１２は、コネクタ１２１と接続される。このコネクタ１２１は、ハウジング１２２とオス形のコンタクトピン１１７を有している。コネクタ１２１とケーブル付きコネクタ１１２とを接続した際に、突起部１１９がハウジング１２２に設けられた角穴１１８に内側から引っ掛かることにより、ケーブル付きコネクタ１１２の抜け止めが図られる。このとき、爪１２０の先端は、ハウジング１２２の端面から若干はみ出ている。そして、ケーブル付きコネクタ１１２をコネクタ１２１から取り外すときには、爪１２０の先端を押下する。すると、突起部１１９の角穴１１８に引っ掛かる状態が解除される。従って、コネクタ１２１に対してケーブル付きコネクタ１１２の抜け止め状態が解除される。なお、ハウジング１２２とハウジング１１３間にも若干のがたつきが存在する。
【０００７】
このようなコネクタが引用文献１の接続部材に接続されるコネクタとして採用される場合、つぎのような懸念があった。すなわち、ケーブル１１１あるいはケーブル付きコネクタ１１２などに振動が作用したとき、ハウジング１１３とメス形のコンタクトピン１１４との間のがたつきに起因して、メス形のコンタクトピン１１４はその延びる方向に微少振動する。この微小振動により、メス形のコンタクトピン１１４は、接続部材のオス形のコンタクトピン１１７に対して摺動する。その結果、メス形のコンタクトピン１１４と接続部材のオス形のコンタクトピン１１７の接触部分が磨り減ることによって、メス形のコンタクトピン１１４と接続部材のオス形のコンタクトピン１１７の間に接触不良が発生するおそれがある。
【０００８】
この発明は、こうした実情に鑑みてなされたものであり、その目的は、振動などに起因する筐体側のコネクタと当該コネクタに接続されるケーブル付きコネクタとの間の接触不良の発生を抑えることができる筐体を提供することにある。
【課題を解決するための手段】
【０００９】
以下、上記目的を達成するための手段及びその作用効果について説明する。
請求項１に記載の発明は、ケーブル付きの第１のコネクタが接続される第２のコネクタを有した基板が収容される筐体であって、窓部を有し、前記コネクタどうしが前記窓部を介して接続されるように構成された筐体において、前記窓部の近傍には、前記ケーブルを前記筐体に対して固定する固定部材が一体形成されてなることを要旨とする。
【００１０】
同構成によれば、固定部材が筐体の窓部の近傍に設けられるので、第１のコネクタの近くでケーブルを固定することができる。このため、第１のコネクタが第２のコネクタに接続された状態でケーブルが振動などした場合であれ、第１のコネクタのコンタクトピンと第２のコネクタのコンタクトピンとの相対的な移動が抑制される。すなわち、ケーブルの振動などに起因して、第１のコネクタのコンタクトピンと第２のコネクタのコンタクトピンが互いに擦れ合うことが抑制される。従って、第１のコネクタのコンタクトピンと第２のコネクタのコンタクトピンの接触部分の磨耗に起因する接触不良が抑えられる。
【００１１】
請求項２に記載の発明は、請求項１に記載の筐体において、前記固定部材は、第１のコネクタが第２のコネクタに接続されたとき、前記ケーブルの外周面に対向可能に設けられた支持部とを備え、前記支持部のケーブル対向面に設けられて前記ケーブルの外周面を保持するクランプを備えたことを要旨とする。
【００１２】
同構成によれば、支持部に設けられたクランプによってケーブルの外周面が把持されることにより、ケーブルは支持部、ひいては筐体に固定される。
請求項３に記載の発明は、請求項２に記載の筐体において、
前記固定部材は、第１のコネクタを固定するために前記支持部のケーブル対向面に設けられたフックをさらに含み、前記フックは、第２のコネクタに接続された第１のコネクタの挿入方向と反対側の部位を介して当該第１のコネクタをその挿入方向へ弾性的に押さえ付けできる位置に配置したことを要旨とする。
【００１３】
同構成によれば、フックにより、第１のコネクタがその挿入方向へ押圧されるため、第１のコネクタの第２のコネクタに対する接続状態が好適に維持される。
請求項４に記載の発明は、前記基板を収納するための開口部を有する本体と、前記開口部を開閉自在に閉じる蓋部材とを備え、前記固定部材は、前記蓋部材の一部分を形成するかたちで、かつ前記蓋部材に対してヒンジ部を介して回動可能に設け、前記蓋部材を閉じた状態で前記固定部材を前記蓋部材の閉じ方向と反対方向へ回動させることにより前記窓部を形成し、前記ヒンジ部は、前記固定部材と前記蓋部材との連結方向と交差する方向に湾曲した形状を持たせることによって前記連結方向に沿って弾性的に伸縮可能に設け、前記フックは、前記ヒンジ部の弾性力により前記第１のコネクタをその挿入方向へ押さえ付けたことをその要旨としている。
【００１４】
同構成によれば、固定部材を蓋部材に設けることで、筐体の製造しやすい構造にしている。また、筐体の蓋部材を閉じた状態であっては、基板を塵や埃から保護することができる。さらに、固定部材は蓋部材の前記ヒンジ部の弾性的伸縮性を利用することで、前記フックにより第１のコネクタがその挿入方向へいっそう押圧されるため、第１のコネクタの第２のコネクタに対する接続状態がいっそう好適に維持できる。
【発明の効果】
【００１５】
本発明に係る筐体によれば、振動などに起因する筐体側のコネクタと当該コネクタに接続されるケーブル付きコネクタとの間の接触不良の発生を抑えることができる筐体を提供する。
【図面の簡単な説明】
【００１６】
【図１】一実施形態における筐体の構成を示す斜視図。
【図２】同実施形態のコネクタ嵌合時における筐体の構成を示す斜視図。
【図３】図２のケーブル固定部材の側面図。
【図４】一般的なコネクタの断面図。
【発明を実施するための形態】
【００１７】
以下、本発明の筐体の一実施形態について説明する。この筐体は、たとえば車載用のECUケースとして使用される。また、この筐体は、その全体が合成樹脂材料により一体成型されている。
【００１８】
図１に示すように、筐体は、一側面に開口部１を有する箱状の本体２と、本体２の開口部１を開閉可能な板状の蓋部材３とを備えている。蓋部材３は、２つのヒンジ部２５a,２５bを介して本体２に連結されている。
【００１９】
本体２の上面２１には、外部から内部に貫通する２つの嵌合孔２２a,２２bが形成されている。また、本体２の内部には、基板４が収容されている。基板４の上面には、第２のコネクタとしてのコネクタ５が固定されている。コネクタ５は、基板４の縁、さらには開口部１から若干はみ出している。コネクタ５には、第１のコネクタとしてのケーブル付きコネクタ６が接続される。ケーブル付きコネクタ６は、図４に示されているケーブル付きコネクタ１１２と同様の構成を有している。このため、ハウジング１１３とメス形のコンタクトピン１１４との間においてメス形のコンタクトピン１１４の延びる方向に遊びが存在する。また、コネクタ５は、図４に示しているコネクタ１２１と同様な構成を有している。
【００２０】
蓋部材３は、周壁２３及び切欠部７を有している。
周壁２３は、蓋部材３を閉じたときの内面に設けられている。周壁２３は、底壁部２４a、及び二つの上壁部２４bを備えている。底壁部２４ａは、蓋部材３を閉じたときの下端縁の全長にわたって設けられている。底壁部２４aは、ヒンジ部２５a,２５bを介して本体２に連結されている。二つの上壁部２４bは、蓋部材３を閉じたときの上部における２つの角部にそれぞれ設けられるとともに、当該２つの角部に沿って直角に折れ曲がるように延びている。また、二つの上壁部２４bにおける底壁部２４aと反対側に位置する外面には、本体２の嵌合孔２２a,２２bに嵌合される２つの台形状の突出部２６a,２６bが形成されている。蓋部材３を閉じるときには、ヒンジ部２５a,２５bを中心に蓋部材３を図中の矢印ａで示す方向に回動させる。このとき、蓋部材３の全体を本体２の内側に挿入しつつ、蓋部材３の突出部２６a,２６bを本体２の嵌合孔２２a,２２bに内側から嵌合させる。これにより、蓋部材３が本体２に固定されて、蓋部材３の閉じた状態が維持される。
【００２１】
また、切欠部７は、蓋部材３を閉じたときの上部から矩形部分を除去した外観を有している。切欠部７は、蓋部材３を閉じたとき、コネクタ５に対応する位置に形成されている。また、切欠部７は、コネクタ５が挿入可能となる程度に切欠面積が設定されている。
【００２２】
切欠部７は、下内側面８、左内側面９および右内側面１０を有している。下内側面８には、ヒンジ部１１を介して板状のケーブル固定部材１２が回動可能に連結されている。コネクタ５を正面に見てケーブル固定部材１２の左右方向における幅は、切欠部７の幅よりも小さく設定されている。ケーブル固定部材１２の左右２つの側面と切欠部７の左右２つの内側面との間には、それぞれ隙間が形成されている。
【００２３】
ケーブル固定部材１２は、ヒンジ部１１を介して連結された支持部２７、ケーブル１６を固定するクランプ１４及びコネクタを固定する板状のフック１５を有している。
ヒンジ部１１は、支持部２７の下側に凸となるＵ字帯状に形成されている。また、ヒンジ部１１は、支持部２７の幅方向の全長にわたって設けられている。ヒンジ部１１の厚みは、支持部２７の厚みよりも薄く設定されている。このため、ヒンジ部１１は良好な柔軟性を示す。ヒンジ部１１は、自身の柔軟性により、Ｕ字状開口部１３が開いたり閉じたりすることで伸縮する。ヒンジ部１１が伸縮することにより、支持部２７は蓋部材３に対して独立して開閉する。たとえば、蓋部材３が閉じた状態で支持部２７を開くことも可能である。支持部２７が蓋部材３の開閉を邪魔することはない。
【００２４】
フック１５は、支持部２７を開いたときの上面（ケーブル対向面）に設けられている。フック１５は、ヒンジ部１１と同様に支持部２７の幅方向の全長にわたって設けられている。また、フックの先端部は、三角状の突出部２０有している。図３に示したように、突出部２０はケーブル付きコネクタ６の挿入方向へ向けて突出している。
【００２５】
クランプ１４は、支持部２７を開いたときの上面に設けられている。また、クランプ１４は、フック１５より若干本体と離れた位置に設けられている。クランプ１４は、二つの腕１４a,１４ｂを有している。二つの腕１４a,１４ｂは、支持部２７の上下方向の中心線を軸として左右対称に設けられている。なお、二つの腕は、弾性有している。二つの腕１４a,１４ｂはそれらの上端間に開口部１８が、下端の円弧面間に円形部１９が形成される形状とされている。開口部１８の幅及び円形部１９の内径はそれぞれ、ケーブル１６の外径より小さく設定されている。
【００２６】
次に、コネクタ５に対してケーブル付きコネクタ６を接続する方法を説明しつつ、筐体の作用を説明する。
ケーブル付きコネクタ６をコネクタ５に接続する際、図２に示されるように、蓋部材３は閉じた状態に維持する。支持部２７は、ヒンジ部１１を支点として外側、すなわち蓋を閉じる方向と反対方向に倒す。支持部２７は、ケーブル付きコネクタ６をコネクタ５に接続する際に支障がない程度に開いた状態に維持する。この状態でケーブル付きコネクタ６をコネクタ５に接続する。
【００２７】
次に、支持部２７を外方、すなわちケーブル付きコネクタ６の挿入方向と反対方向へ引っ張りながらフック１５の先端をケーブル付きコネクタ６の背面下部１７に対向させる。支持部２７を外方へ引っ張ることによりヒンジ部１１のＵ字状開口部１３が拡がる。すなわち、支持部２７はヒンジ部１１の弾性力に抗して外方へ若干移動する。このため、支持部２７のヒンジ部１１を支点とする傾き度合いの調節を通じて、フック１５の先端をケーブル付きコネクタ６の背面下部１７に対向させることが可能となる。本例では、支持部２７が蓋部材３に対して直交するとき、フック１５の先端はケーブル付きコネクタ６の背面下部１７に対向する。
【００２８】
その後、フック１５の先端をケーブル付きコネクタ６の背面下部１７に対向させた状態を維持しつつ、支持部２７を外方へ引っ張る力を解除する。すると、ヒンジ部１１のＵ字状開口部１３は元の状態に弾性復帰しようとする。このヒンジ部１１の弾性復帰力による支持部２７の移動に伴い、フック１５はケーブル付きコネクタ６の背面下部１７に近接する方向へ移動する。やがてフック１５の先端部は、ケーブル付きコネクタ６の背面下部１７に当接する。このときのフック１５の突出部２０の位置をL2とする。位置L2は、フック１５の突出部２０の元の位置L1より若干外側、すなわちケーブル付きコネクタ６の挿入方向と反対方向に位置している。このように、フック１５の突出部２０がケーブル付きコネクタ６の背面下部１７に当接した状態においては、ヒンジ部１１は元の状態に完全には復帰していない。このため、ケーブル付きコネクタ６には、フック１５を介してヒンジ部１１の弾性復帰力が印加された状態に維持される。すなわち、フック１５にはケーブル付きコネクタ６の挿入方向にケーブル付きコネクタ６を押さえ付ける力Fが発生する。この力Fによって、ケーブル付きコネクタ６の挿入方向へ向けて押さえ付けられる。
【００２９】
最後に、ケーブル１６を２つの腕１４a,１４ｂの上端間に形成される開口部１８から内部へ向けて押し込む。開口部１８にケーブル１６を押し込むにつれて二つの腕１４a,１４ｂの上端間は互いに離間する方向へ弾性変形する。そして、ケーブル１６がクランプ１４の上端間を通過すると二つの腕１４a,１４bはそれぞれ元の位置へ弾性復帰しようとする。円形部１９の内径は、ケーブル１６の外径よりも若干短く設定されているため、ケーブル１６の外周面は、二つの腕１４a,１４bにより締め付けられた状態に維持される。すなわち、ケーブル１６は支持部２７に対して固体された状態になる。したがって、ケーブル１６の前後方向への動きを無くすことが可能になる。なお、開口部１８はケーブル１６の外径よりも狭く設定されているので、ケーブル１６が開口部１８を介して脱落することはない。
【００３０】
また、ヒンジ部１１の弾性復帰力は、二つの腕１４a,１４bを介してケーブル１６にも印加される。すなわち、ケーブル１６は、二つの腕１４a,１４bを介して、ケーブル付きコネクタ６の挿入方向へ常時付勢される。このことによっても、ケーブル１６の前後方向、すなわちケーブル付きコネクタ６の挿入方向への動きが規制される。
【００３１】
以上、説明した実施形態によれば、以下の効果を奏することができる。
（１）支持部２７と蓋部材３とを連結するヒンジ部１１のＵ字ばね効果により発生する力Ｆによってケーブル付きコネクタ６及びケーブル１６をそれぞれケーブル付きコネクタ６の挿入方向へ押さえ付けるようにした。また、ケーブル１６の外周を、クランプ１４によって締め付けるようにした。このため、ケーブル１６の移動が規制される。たとえばケーブル１６に振動などが作用した場合であれ、ケーブル１６がその前後方向へ微小振動することが抑制される。ひいては、メス形のコンタクトピン１１４とハウジング１１３との間にこれらの前後方向におけるがたつきが存在する場合であれ、メス形のコンタクトピン１１４がハウジング１１３に対して前後方向へ振動することが抑制される。ケーブル付きコネクタ６のコンタクトピンとコネクタ５のオス形のコンタクトピン１１７の接触部分の摩耗の発生が抑制されるので、ケーブル付きコネクタ６とコネクタ５との接触不良を抑えることができる。
【００３２】
メス形のコンタクトピン１１４とハウジング１１３との間に上下方向の遊びが存在することも考えられる。この場合であれ、ケーブルが固定されることにより、メス形のコンタクトピン１１４とハウジング１１３との間に上下方向へ微小振動することが抑制される。
【００３３】
（２）ケーブル付きコネクタ６の近くてケーブル１６を固定するようにした。このため、メス形のコンタクトピン１１４の前後方向の動きに対するケーブル１６の振動の影響を抑制することができる。
【００３４】
（３）フック１５の突出部２０は、断面形状が三角状の柱形をなしている。このため、他の断面形状とされたフックよりも強くケーブル付きコネクタ６を押さえつけることができる。
【００３５】
（４）本体２、蓋部材３及びケーブル固定部材１２は、合成樹脂材料により一体成型される。このため、別の固定部品によらず、ケーブル１６を固定することができる。ケーブル１６を固定する部材を別部品として設ける必要がないので、部品点数を増大させることなくケーブル１６を固定することができる。
【００３６】
（５）フック１５の先端部は、ケーブル付きコネクタ６の背面下部の全体に当接可能とした。このため、ケーブル付きコネクタ６をその挿入方向へ安定して押すことができる。
（６）筐体は、たとえば自動車のＥＣＵケースとして利用することができる。本例の筐体は、自動車のように振動が発生する機器への搭載に好適である。
【００３７】
尚、上記実施形態は、以下のように変更してもよい。
・上記の実施形態において、ケーブル固定部を蓋部材の切欠部に設けられているが、本体の他部分に設けてもよい。例えば、本体に新たに窓部を用意し、この窓部と本体からなる辺にケーブル固定部材が設けられてもよい。
【００３８】
・フック１５の突出部２０の断面形状は三角に限らず、台形あるいは半円等の他の断面形状にしてもよい。この場合であれ、同様にケーブル付きコネクタ６を押さえつけられることができる。
【００３９】
・クランプ１４の２つの腕１４a,１４ｂの上端間にねじを通して締め付けるようにしてもよい。このようにすれば、２つの腕１４a,１４ｂによって、ケーブル１６の外周面をいっそう強く締め付けることができる。ケーブル１６の振動による動きもいっそう抑制される。
【００４０】
・クランプは二つの腕１４a,１４ｂを有しているが、支持部２７の上面方向に開口部を有する一つの腕にしてもよい。このようにすれば、一つの腕によって、ケーブルの外周面を抑えつけることができる。ケーブルの振動による動きも抑制される。
【００４１】
・本体２及びケーブル固定部材１２は、合成樹脂により一体成型したが、一定の強度を有する他の素材にしてもよい。たとえば、金属などで一体成型してもよい。
・本例では、ケーブル固定部材１２はヒンジ部１１を介して回動可能に設けたが、ケーブル固定部材１２は蓋部材３に固定してもよい。この場合であれ、フック１５の弾性によりケーブル付きコネクタ６が押圧することができる。
【００４２】
・蓋部材３は省略してもよい。この場合、本体２の開口部１又は他部分に用意されている窓部の近くにケーブル固定部材１２を設ける。このケーブル固定部材１２により、ケーブルの振動による動きが抑制される。
【００４３】
・フック１５は省略してもよい。この場合であれ、クランプ１４によってケーブルの前後方向の動きが依然抑制できる。
次に、前記実施形態から把握できる技術的思想を記載する。
【００４４】
（イ）請求項２〜請求項５に記載の筐体において、前記クランプは、前記支持部のケーブル対向面に設けられて、かつ前記ケーブルの外周面に沿って湾曲する腕部を有し、前記腕部は、その内側に配置される前記ケーブルの外周面を弾性的に締め付けることにより前記ケーブルを固定する筐体。
【００４５】
（ロ）前記（イ）項において、前記腕部は、前記ケーブルの半周に対応して湾曲する第１の腕部、および残りの半周に対応して湾曲する第２の腕部を有し、第１および第２の腕部はこれらの内側に配置される前記ケーブルを弾性的に挟み込み可能に設けたうえで、さらに二つ腕部の先端部は締結部材によって互いに近接する方向へ締め付けられる筐体。
【００４６】
（ハ）請求項３に記載の筐体において、
前記固定部材と本体とを連結するヒンジ部を有し、前記ヒンジ部は、前記固定部材と本体とを連結する方向と交差する方向に湾曲した形状を有し、且つ当該連結する方向に沿って弾性的に伸縮可能し、前記フックは、前記ヒンジ部の弾性力により前記第１のコネクタをその挿入方向へ押さえ付ける筐体。
【符号の説明】
【００４７】
１…開口部、２…本体、３…蓋部材、４…基板、５…コネクタ、６…ケーブル付きコネクタ、７…切欠部、１１…ヒンジ部、１２…ケーブル固定部材、１４…クランプ、１５…フック、１６…ケーブル、２７…支持部。
【図１】
2013258118.tif 000003
【図２】
2013258118.tif 000004
【図３】
2013258118.tif 000005
【図４】
2013258118.tif 000006